(57)【要約】【課題】  携帯端末において、高速移動時に接続品質を確保できるとともに、低速移動時にバッテリの消耗を低減できるようにする。【解決手段】  制御回路１０５は、携帯電話機の待ち受け中、間欠受信制御線１０７を介して制御信号を送信し、受信回路１０２に受信動作をオフにさせる。制御回路１０５は、ＧＰＳ受信回路１０９が受信したＧＰＳ信号に基づいて、携帯端末の移動速度を求める。また、制御回路１０５は、受信間隔対応テーブル１１０から、求めた移動速度に対応する間欠受信間隔を抽出する。制御回路１０５は、抽出した間欠受信間隔が経過すると、間欠受信制御線１０７を介して制御信号を送信し、受信回路１０２に受信動作をオンにさせる。【選択図】  図１
2006246121.tif 000002
【特許請求の範囲】
【請求項１】
ＧＰＳ信号を受信するＧＰＳ受信手段と、
基地局からの無線信号を受信する受信回路と、
前記ＧＰＳ受信手段が受信したＧＰＳ信号に基づいて、携帯端末の移動速度を求める移動速度算出手段と、
前記移動速度算出手段が求めた移動速度に基づいて、基地局からの無線信号を間欠受信する時間間隔を示す間欠受信間隔を設定する受信間隔設定手段と、
前記受信間隔設定手段が設定した間欠受信間隔に従って、前記受信回路に、基地局からの無線信号を間欠受信させる受信回路制御手段とを
備えたことを特徴とする携帯端末。
【請求項２】
移動速度算出手段が求めた移動速度に基づいて、所定のパラメータを設定するパラメータ設定手段と、
セルのサーチを実行するセルサーチ実行手段とを備え、
前記パラメータ設定手段は、移動速度算出手段が求めた移動速度に基づいて、パラメータとして、セルをサーチする時間間隔を示すセルサーチ間隔を設定し、
前記セルサーチ実行手段は、前記パラメータ設定手段が設定したセルサーチ間隔に従って、セルのサーチを実行する
請求項１記載の携帯端末。
【請求項３】
携帯端末が備える受信回路を制御する受信回路制御装置であって、
ＧＰＳ信号を受信するＧＰＳ受信手段と、
前記ＧＰＳ受信手段が受信したＧＰＳ信号に基づいて、前記携帯端末の移動速度を求める移動速度算出手段と、
前記移動速度算出手段が求めた移動速度に基づいて、基地局からの無線信号を間欠受信する時間間隔を示す間欠受信間隔を設定する受信間隔設定手段と、
前記受信間隔設定手段が設定した間欠受信間隔に従って、基地局からの無線信号を受信する受信回路に、基地局からの無線信号を間欠受信させる受信回路制御手段とを
備えたことを特徴とする受信回路制御装置。
【請求項４】
受信間隔設定手段は、
移動速度算出手段が求めた移動速度が所定値より大きいか否かを判断し、
前記移動速度が所定値より大きいと判断すると、所定の第１の間欠受信間隔を設定し、
前記移動速度が所定値より大きくないと判断すると、前記第１の間欠受信間隔より長い第２の間欠受信間隔を設定する
請求項３記載の受信回路制御装置。
【請求項５】
携帯端末の移動速度と間欠受信間隔とを対応づけた対応テーブルを予め記憶する受信間隔記憶手段を備え、
受信間隔設定手段は、前記受信間隔記憶手段が記憶する対応テーブルから、移動速度算出手段が求めた移動速度に対応する間欠受信間隔を抽出する
請求項３又は請求項４記載の受信回路制御装置。
【請求項６】
移動速度算出手段が求めた移動速度に基づいて、所定のパラメータを設定するパラメータ設定手段を備えた請求項３から請求項５のうちのいずれか１項に記載の受信回路制御装置。
【請求項７】
セルのサーチを実行するセルサーチ実行手段を備え、
パラメータ設定手段は、移動速度算出手段が求めた移動速度に基づいて、パラメータとして、セルをサーチする時間間隔を示すセルサーチ間隔を設定し、
前記セルサーチ実行手段は、前記パラメータ設定手段が設定したセルサーチ間隔に従って、セルのサーチを実行する
請求項６記載の受信回路制御装置。
【請求項８】
パラメータ設定手段は、
移動速度算出手段が求めた移動速度が所定値より大きいか否かを判断し、
前記移動速度が所定値より大きいと判断すると、所定の第１のセルサーチ間隔を設定し、
前記移動速度が所定値より大きくないと判断すると、前記第１のセルサーチ間隔より長い第２のセルサーチ間隔を設定する
請求項７記載の受信回路制御装置。
【請求項９】
携帯端末の移動速度とセルサーチ間隔とを対応づけた対応テーブルを予め記憶するセルサーチ間隔記憶手段を備え、
パラメータ設定手段は、前記セルサーチ間隔記憶手段が記憶する対応テーブルから、移動速度算出手段が求めた移動速度に対応するセルサーチ間隔を抽出する
請求項７又は請求項８記載の受信回路制御装置。
【請求項１０】
携帯端末が備える受信回路を制御する受信回路制御方法であって、
ＧＰＳ信号を受信するＧＰＳ受信ステップと、
前記受信したＧＰＳ信号に基づいて、前記携帯端末の移動速度を求める移動速度算出ステップと、
前記求めた移動速度に基づいて、基地局からの無線信号を間欠受信する時間間隔を示す間欠受信間隔を設定する受信間隔設定ステップと、
前記設定した間欠受信間隔に従って、基地局からの無線信号を受信する受信回路に、基地局からの無線信号を間欠受信させる受信回路制御ステップとを含む
ことを特徴とする受信回路制御方法。
【請求項１１】
受信間隔設定ステップで、
求めた移動速度が所定値より大きいか否かを判断し、
前記移動速度が所定値より大きいと判断すると、所定の第１の間欠受信間隔を設定し、
前記移動速度が所定値より大きくないと判断すると、前記第１の間欠受信間隔より長い第２の間欠受信間隔を設定する
請求項１０記載の受信回路制御方法。
【請求項１２】
携帯端末の移動速度と間欠受信間隔とを対応づけた対応テーブルを予め記憶する受信間隔記憶ステップを含み、
受信間隔設定ステップで、前記予め記憶した対応テーブルから、求めた移動速度に対応する間欠受信間隔を抽出する
請求項１０又は請求項１１記載の受信回路制御方法。
【請求項１３】
求めた移動速度に基づいて、所定のパラメータを設定するパラメータ設定ステップを含む請求項１０から請求項１２のうちのいずれか１項に記載の受信回路制御方法。
【請求項１４】
セルのサーチを実行するセルサーチ実行ステップを含み、
パラメータ設定ステップで、求めた移動速度に基づいて、パラメータとして、セルをサーチする時間間隔を示すセルサーチ間隔を設定し、
前記セルサーチ実行ステップで、前記設定したセルサーチ間隔に従って、セルのサーチを実行する
請求項１３記載の受信回路制御方法。
【請求項１５】
パラメータ設定ステップで、
求めた移動速度が所定値より大きいか否かを判断し、
前記移動速度が所定値より大きいと判断すると、所定の第１のセルサーチ間隔を設定し、
前記移動速度が所定値より大きくないと判断すると、前記第１のセルサーチ間隔より長い第２のセルサーチ間隔を設定する
請求項１４記載の受信回路制御方法。
【請求項１６】
携帯端末の移動速度とセルサーチ間隔とを対応づけた対応テーブルを予め記憶するセルサーチ間隔記憶ステップを含み、
パラメータ設定ステップで、前記予め記憶した対応テーブルから、求めた移動速度に対応するセルサーチ間隔を抽出する
請求項１４又は請求項１５記載の受信回路制御方法。
【発明の詳細な説明】
【技術分野】
【０００１】
本発明は、間欠受信方式を用いた携帯端末に関する。また、本発明は、間欠受信方式を用いて受信回路を制御する受信回路制御装置及び受信回路制御方法に関する。
【背景技術】
【０００２】
移動体通信において、一般に、間欠受信を行うことによって消費電力を低減することが行われている。例えば、特許文献１には、ＧＰＳ信号を間欠受信することによって、消費電力を低減できるＧＰＳ受信装置が記載されている。また、特許文献２には、ＧＰＳ衛星を用いて測位計算を行う受信機において、ＧＰＳ信号を間欠受信することによって、バッテリの負担を軽減する間欠受信方式が記載されている。
【０００３】
【特許文献１】特開２００１−２１５２６８（段落００１４−００２７、図１）
【特許文献２】特開平１１−２９５４１０（段落００１２−００３１、図１−２）
【発明の開示】
【発明が解決しようとする課題】
【０００４】
図７は、間欠受信方式を用いた一般的な携帯電話機の構成の一例を示すブロック図である。図７に示すように、携帯電話機は、送受信アンテナ９０１、受信回路９０２、送信回路９０３、アンテナスイッチ９０４、制御回路９０５及び周辺回路９０６を含む。
【０００５】
送受信アンテナ９０１は、携帯電話機が用いる周波数帯域で、所定の利得で電波を放射する機能を備える。受信回路９０２は、送受信アンテナ９０１を介して、無線信号を受信する機能を備える。また、受信回路９０２は、受信信号を所定の電力値まで増幅する機能を備える。また、受信回路９０２は、増幅した受信信号をベースバンド信号に変換する機能を備える。送信回路９０３は、ベースバンド信号を無線周波数帯の送信信号に変換する機能を備える。また、送信回路９０３は、送信信号を所定の電力値まで増幅し、送受信アンテナ９０１を介して無線信号として送信する機能を備える。
【０００６】
アンテナスイッチ９０４は、送受信アンテナ９０１の接続を切り替える機能を備える。例えば、無線信号を受信する場合、アンテナスイッチ９０４は、送受信アンテナ９０１を受信回路９０２に接続する。また、無線信号を送信する場合、アンテナスイッチ９０４は、送受信アンテナ９０１を送信回路９０３に接続する。
【０００７】
制御回路９０５は、受信回路９０２から入力したベースバンド信号を処理し、送信回路９０３に出力する機能を備える。また、周辺回路９０６は、表示部やスピーカ等を制御する各種回路である。また、図６に示すように、制御回路９０５と受信回路９０２とは、間欠受信を制御するための制御信号を伝送する間欠受信制御線９０７が接続される。
【０００８】
間欠受信制御を行う場合、携帯電話機の待ち受け中、制御回路９０５は、間欠受信制御線９０７を介して制御信号を受信回路９０２に送信し、受信回路９０２の受信動作をオフにさせる。また、制御回路９０５は、所定の間欠時間が経過すると、間欠受信制御線９０７を介して制御信号を受信回路９０２に送信し受信動作を行わせる。すなわち、制御回路９０５は、受信回路９０２に基地局からの無線信号を受信させて、着信の有無や基地局との電波状況をチェックする。そして、着信等がない場合、制御回路９０５は、再び間欠受信制御線９０７を介して制御信号を受信回路９０２に送信し、受信回路９０２の受信動作をオフにさせて休止状態にさせる。そのようにすることによって、バッテリの消耗が最小となるように制御する。
【０００９】
一般に、携帯電話機は、予め定めた一定の時間間隔で間欠受信を行う。しかし、携帯電話機が高速で基地局から離れる方向に移動している場合、間欠受信間隔が一定であると、基地局からの受信間隔が長すぎて、基地局との電波状況の悪化に対応できないことがある。そのため、間欠受信間隔が一定であると、携帯電話機の接続品質の低下を招いてしまう。また、携帯電話機が低速で移動している場合、基地局との電波状況の変化が少ないので、間欠受信間隔が長くても、携帯電話機の接続品質を維持することができる。しかし、間欠時間間隔が一定であると、低速移動時に間欠時間間隔を十分に長くすることができず、バッテリの消耗を十分に低減することができない。
【００１０】
特許文献１に記載されたＧＰＳ受信装置や、特許文献２に記載された間欠受信方式では、移動速度に応じてＧＰＳ信号の間欠受信間隔を制御することによって、ＧＰＳ受信装置のバッテリの消耗を低減している。しかし、ＧＰＳ信号を間欠受信しているにすぎず、基地局からの無線信号を、携帯電話機等の移動端末が間欠受信することは開示されていない。また、間欠受信対象の受信信号そのものを用いて移動速度を求めているので、移動端末に適用したとしても、高速移動時に基地局との電波状況が悪化すると、移動端末の移動速度を正確に求められない可能性がある。そのため、携帯端末に適用したとしても、間欠受信間隔を適切に制御できない可能性がある。
【００１１】
また、特許文献１に記載されたＧＰＳ受信装置や、特許文献２に記載された間欠受信方式を携帯端末に適用したとしても、移動速度に応じて隣接セルのサーチ間隔を制御することはできず、高速移動時のフェージングの影響を低減できない可能性がある。
【００１２】
そこで、本発明は、携帯端末において、高速移動時に接続品質を確保できるとともに、低速移動時にバッテリの消耗を低減できる携帯端末、受信回路制御装置及び受信回路制御方法を提供することを目的とする。
【課題を解決するための手段】
【００１３】
本発明による携帯端末は、ＧＰＳ信号を受信するＧＰＳ受信手段（例えば、ＧＰＳ受信回路１０９によって実現される）と、基地局からの無線信号を受信する受信回路と、ＧＰＳ受信手段が受信したＧＰＳ信号に基づいて、携帯端末の移動速度を求める移動速度算出手段（例えば、制御回路１０５によって実現される）と、移動速度算出手段が求めた移動速度に基づいて、基地局からの無線信号を間欠受信する時間間隔を示す間欠受信間隔を設定する受信間隔設定手段（例えば、制御回路１０５によって実現される）と、受信間隔設定手段が設定した間欠受信間隔に従って、受信回路に、基地局からの無線信号を間欠受信させる受信回路制御手段（例えば、制御回路１０５によって実現される）とを備えたことを特徴とする。
【００１４】
また、携帯端末は、移動速度算出手段が求めた移動速度に基づいて、所定のパラメータを設定するパラメータ設定手段（例えば、制御回路１０５によって実現される）と、セルのサーチを実行するセルサーチ実行手段（例えば、制御回路１０５によって実現される）とを備え、パラメータ設定手段は、移動速度算出手段が求めた移動速度に基づいて、パラメータとして、セルをサーチする時間間隔を示すセルサーチ間隔を設定し、セルサーチ実行手段は、パラメータ設定手段が設定したセルサーチ間隔に従って、セルのサーチを実行するものであってもよい。
【００１５】
本発明による受信回路制御装置は、携帯端末が備える受信回路を制御する受信回路制御装置であって、ＧＰＳ信号を受信するＧＰＳ受信手段と、ＧＰＳ受信手段が受信したＧＰＳ信号に基づいて、携帯端末の移動速度を求める移動速度算出手段と、移動速度算出手段が求めた移動速度に基づいて、基地局からの無線信号を間欠受信する時間間隔を示す間欠受信間隔を設定する受信間隔設定手段と、受信間隔設定手段が設定した間欠受信間隔に従って、基地局からの無線信号を受信する受信回路に、基地局からの無線信号を間欠受信させる受信回路制御手段とを備えたことを特徴とする。
【００１６】
また、受信間隔設定手段は、移動速度算出手段が求めた移動速度が所定値より大きいか否かを判断し、移動速度が所定値より大きいと判断すると、所定の第１の間欠受信間隔を設定し、移動速度が所定値より大きくないと判断すると、第１の間欠受信間隔より長い第２の間欠受信間隔を設定するものであってもよい。
【００１７】
また、受信回路制御装置は、携帯端末の移動速度と間欠受信間隔とを対応づけた対応テーブル（例えば、受信間隔対応テーブル１１０）を予め記憶する受信間隔記憶手段（例えば、制御回路１０５が備えるメモリ等の記憶装置によって実現される）を備え、受信間隔設定手段は、受信間隔記憶手段が記憶する対応テーブルから、移動速度算出手段が求めた移動速度に対応する間欠受信間隔を抽出するものであってもよい。
【００１８】
また、受信回路制御装置は、移動速度算出手段が求めた移動速度に基づいて、所定のパラメータ（例えば、セルのサーチを行う時間間隔）を設定するパラメータ設定手段を備えたものであってもよい。
【００１９】
また、受信回路制御装置は、セルのサーチを実行するセルサーチ実行手段を備え、パラメータ設定手段は、移動速度算出手段が求めた移動速度に基づいて、パラメータとして、セルをサーチする時間間隔を示すセルサーチ間隔を設定し、セルサーチ実行手段は、パラメータ設定手段が設定したセルサーチ間隔に従って、セルのサーチを実行するものであってもよい。
【００２０】
また、パラメータ設定手段は、移動速度算出手段が求めた移動速度が所定値より大きいか否かを判断し、移動速度が所定値より大きいと判断すると、所定の第１のセルサーチ間隔を設定し、移動速度が所定値より大きくないと判断すると、第１のセルサーチ間隔より長い第２のセルサーチ間隔を設定するものであってもよい。
【００２１】
また、受信回路制御装置は、携帯端末の移動速度とセルサーチ間隔とを対応づけた対応テーブル（例えば、パラメータ対応テーブル１１１）を予め記憶するセルサーチ間隔記憶手段（例えば、制御回路１０５が備えるメモリ等の記憶装置によって実現される）を備え、パラメータ設定手段は、セルサーチ間隔記憶手段が記憶する対応テーブルから、移動速度算出手段が求めた移動速度に対応するセルサーチ間隔を抽出するものであってもよい。
【００２２】
本発明による受信回路制御方法は、携帯端末が備える受信回路を制御する受信回路制御方法であって、ＧＰＳ信号を受信するＧＰＳ受信ステップと、受信したＧＰＳ信号に基づいて、携帯端末の移動速度を求める移動速度算出ステップと、求めた移動速度に基づいて、基地局からの無線信号を間欠受信する時間間隔を示す間欠受信間隔を設定する受信間隔設定ステップと、設定した間欠受信間隔に従って、基地局からの無線信号を受信する受信回路に、基地局からの無線信号を間欠受信させる受信回路制御ステップとを含むことを特徴とする。
【００２３】
また、受信回路制御方法は、受信間隔設定ステップで、求めた移動速度が所定値より大きいか否かを判断し、移動速度が所定値より大きいと判断すると、所定の第１の間欠受信間隔を設定し、移動速度が所定値より大きくないと判断すると、第１の間欠受信間隔より長い第２の間欠受信間隔を設定するものであってもよい。
【００２４】
また、受信回路制御方法は、携帯端末の移動速度と間欠受信間隔とを対応づけた対応テーブルを予め記憶する受信間隔記憶ステップを含み、受信間隔設定ステップで、予め記憶した対応テーブルから、求めた移動速度に対応する間欠受信間隔を抽出するものであってもよい。
【００２５】
また、受信回路制御方法は、求めた移動速度に基づいて、所定のパラメータを設定するパラメータ設定ステップを含むものであってもよい。
【００２６】
また、受信回路制御方法は、セルのサーチを実行するセルサーチ実行ステップを含み、パラメータ設定ステップで、求めた移動速度に基づいて、パラメータとして、セルをサーチする時間間隔を示すセルサーチ間隔を設定し、セルサーチ実行ステップで、設定したセルサーチ間隔に従って、セルのサーチを実行するものであってもよい。
【００２７】
また、受信回路制御方法は、パラメータ設定ステップで、求めた移動速度が所定値より大きいか否かを判断し、移動速度が所定値より大きいと判断すると、所定の第１のセルサーチ間隔を設定し、移動速度が所定値より大きくないと判断すると、第１のセルサーチ間隔より長い第２のセルサーチ間隔を設定するものであってもよい。
【００２８】
また、受信回路制御方法は、携帯端末の移動速度とセルサーチ間隔とを対応づけた対応テーブルを予め記憶するセルサーチ間隔記憶ステップを含み、パラメータ設定ステップで、予め記憶した対応テーブルから、求めた移動速度に対応するセルサーチ間隔を抽出するものであってもよい。
【発明の効果】
【００２９】
本発明によれば、受信回路とは別に設けられたＧＰＳ受信手段を用いてＧＰＳ信号を受信し、受信したＧＰＳ信号に基づいて携帯端末の移動速度を求める。また、求めた移動速度に基づいて、基地局からの無線信号を間欠受信する間欠受信間隔を設定する。従って、携帯端末において、高速移動時に接続品質を確保できるとともに、低速移動時にバッテリの消耗を低減することができる。
【００３０】
また、本発明によれば、携帯端末が高速で移動している場合、受信を行う間隔が短くなるように第１の間欠受信間隔を設定するので、携帯端末の接続品質の低下を防止することができる。また、携帯端末が低速で移動している場合、受信を行う間隔が長くなるように第２の間欠受信間隔を設定するので、受信回路の動作時間を短くすることができ、バッテリの消耗を低減することができる。
【００３１】
また、本発明によれば、予め移動速度と間欠受信間隔とを対応付けた対応テーブルを記憶するので、移動速度に基づいて容易に間欠受信間隔を求めることができる。
【００３２】
また、本発明によれば、求めた移動速度に基づいて、セルをサーチする時間間隔を示すセルサーチ間隔を設定する。従って、携帯端末において、高速移動時にフェージングの影響を低減できるとともに、低速移動時にバッテリの消耗を低減することができる。
【００３３】
また、本発明によれば、携帯端末が高速で移動している場合、セルをサーチする間隔が短くなるように第１のセルサーチ間隔を設定するので、フェージングの影響を低減することができる。また、携帯端末が低速で移動している場合、セルをサーチする間隔が長くなるように第２のセルサーチ間隔を設定するので、セルをサーチする頻度を低減することができ、バッテリの消耗を低減することができる。
【００３４】
また、本発明によれば、予め移動速度とセルサーチ間隔とを対応付けた対応テーブルを記憶するので、移動速度に基づいて容易にセルサーチ間隔を求めることができる。
【発明を実施するための最良の形態】
【００３５】
実施の形態１．
以下、本発明の第１の実施の形態を図面を参照して説明する。図１は、本発明による受信回路制御方法を用いた携帯電話機の一例を示すブロック図である。なお、本実施の形態では、一例として、受信回路制御方法を携帯電話機に用いる場合を説明するが、受信回路制御方法は、ＰＨＳ等他の携帯端末にも適用可能である。また、本実施の形態では、一例として、ＴＤＭＡ方式を用いた携帯電話機に受信回路制御方法を用いる場合を説明する。
【００３６】
図１に示すように、携帯電話機は、送受信アンテナ１０１、受信回路１０２、送信回路１０３、アンテナスイッチ１０４、制御回路１０５、周辺回路１０６、ＧＰＳ受信アンテナ１０８及びＧＰＳ受信回路１０９を含む。なお、本実施の形態において、受信回路制御装置は、制御回路１０５及びＧＰＳ受信回路１０９によって実現される。
【００３７】
送受信アンテナ１０１は、携帯電話機が用いる周波数帯域で、所定の利得で電波を放射する機能を備える。受信回路１０２は、送受信アンテナ１０１を介して、無線信号を受信する機能を備える。また、受信回路１０２は、受信信号を所定の電力値まで増幅する機能を備える。また、受信回路１０２は、増幅した受信信号をベースバンド信号に変換する機能を備える。また、受信回路１０２は、変換したベースバンド信号を制御回路１０５に出力する機能を備える。
【００３８】
送信回路１０３は、制御回路１０５から入力したベースバンド信号を、無線周波数帯の送信信号に変換する機能を備える。また、送信回路１０３は、送信信号を所定の電力値まで増幅し、送受信アンテナ１０１を介して無線信号として送信する機能を備える。
【００３９】
アンテナスイッチ１０４は、送受信アンテナ１０１の接続を切り替える機能を備える。例えば、無線信号を受信する場合、アンテナスイッチ１０４は、送受信アンテナ１０１を受信回路１０２に接続する。また、無線信号を送信する場合、アンテナスイッチ１０４は、送受信アンテナ１０１を送信回路１０３に接続する。
【００４０】
制御回路１０５は、受信回路１０２から入力したベースバンド信号を処理する機能を備える。また、制御回路１０５は、処理した信号を周辺回路１０６に出力する機能を備える。例えば、制御回路１０５は、受信回路１０２から入力したベースバンド信号を、音声信号に変換し周辺回路１０６に出力する。また、制御回路１０５は、各周辺回路１０６から入力した信号を処理する機能を備える。また、制御回路１０５は、処理したベースバンド信号を送信回路１０３に出力する機能を備える。例えば、制御回路１０５は、周辺回路１０６から入力した音声信号を、ベースバンド信号に変換し送信回路１０３に出力する。
【００４１】
また、制御回路１０５は、携帯電話機の移動速度と、基地局からの無線信号を間欠受信する時間間隔を示す間欠受信間隔とを対応づけた受信間隔対応テーブル１１０を含む。具体的には、制御回路１０５は、メモリ等の記憶装置に受信間隔対応テーブル１１０を記憶する。図２は、受信間隔対応テーブル１１０の一例を示す説明図である。図２に示すように、受信間隔対応テーブル１１０は、携帯電話機の移動速度と間欠受信間隔とを対応づけて含む。本実施の形態では、図２において、ａ＜ｂ＜ｃ・・・であり、ｘ＞ｙ＞ｚ・・・であるとする。
【００４２】
また、制御回路１０５は、ＧＰＳ受信回路１０９から入力した信号に基づいて、携帯電話機の位置情報（例えば、緯度及び経度）を求める機能を備える。また、制御回路１０５は、求めた位置情報に基づいて、携帯電話機の移動速度を求める機能を備える。また、制御回路１０５は、求めた移動速度に基づいて、間欠受信間隔を設定する機能を備える。本実施の形態では、制御回路１０５は、記憶する受信間隔対応テーブル１１０を用いて、間欠受信間隔を設定する。
【００４３】
また、図１に示すように、制御回路１０５と受信回路１０２とは、間欠受信を制御するための制御信号を伝送する間欠受信制御線１０７が接続される。本実施の形態では、制御回路１０５は、携帯電話機の待ち受け中、間欠受信制御線１０７を介して制御信号を受信回路１０２に送信し、受信回路１０２の受信動作をオフにさせる機能を備える。また、制御回路１０５は、所定の間欠時間が経過すると、間欠受信制御線１０７を介して制御信号を受信回路１０２に送信し、受信動作を行わせる機能を備える。すなわち、制御回路１０５は、受信回路１０２に基地局からの無線信号を受信させて、着信の有無や基地局との電波状況をチェックする。また、着信等がない場合、制御回路１０５は、再び制御回路１０５を介して制御信号を受信回路１０２に送信し、受信回路１０２の受信動作をオフにさせて休止状態にさせる機能を備える。
【００４４】
また、周辺回路１０６は、表示部やスピーカ等を制御する各種回路である。例えば、周辺回路１０６は、制御回路１０５から入力した音声信号に基づいて、受話部のスピーカに音声を出力させる機能を備える。また、例えば、周辺回路１０６は、送話部のマイクロフォンから音声を入力し、入力した音声信号を制御回路１０５に出力する機能を備える。また、例えば、周辺回路１０６は、制御回路１０５からの指示に従って、表示部に各種情報を表示させる機能を備える。なお、図１では、１つの周辺回路１０６を示しているが、携帯電話機は、複数の周辺回路１０６を含む。例えば、携帯電話機は、周辺回路１０６として、スピーカからの音声出力を制御する回路や、マイクロフォンからの音声入力を制御する回路を含む。
【００４５】
ＧＰＳ受信回路１０９は、ＧＰＳ受信アンテナ１０８を介してＧＰＳ信号を受信する機能を備える。また、ＧＰＳ受信回路１０９は、受信したＧＰＳ信号を所定の電力値まで増幅する機能を備える。また、ＧＰＳ受信回路１０９は、受信したＧＰＳ信号をベースバンド信号に変換する機能を備える。また、ＧＰＳ受信回路１０９は、変換したベースバンド信号を制御回路１０５に出力する機能を備える。
【００４６】
次に、動作について説明する。まず、携帯電話機が無線信号を受信するときの受信動作を説明する。無線信号を受信する場合、受信回路１０２は、送受信アンテナ１０１及びアンテナスイッチ１０４を介して無線信号を受信する。受信回路１０２は、受信信号を所定の電力値まで増幅し、ベースバンド信号に変換する。また、受信回路１０２は、変換したベースバンド信号を制御回路１０５に出力する。
【００４７】
制御回路１０５は、受信回路１０２から入力したベースバンド信号を処理し周辺回路１０６に出力する。例えば、制御回路１０５は、受信回路１０２から入力したベースバンド信号を、音声信号に変換して周辺回路１０６に出力する。すると、周辺回路１０６は、制御回路１０５から入力した音声信号に基づいて、受話部のスピーカに音声を出力させる。
【００４８】
次に、携帯電話機が無線信号を受信する際の間欠受信の動作を説明する。図３は、携帯電話機の受信回路制御の処理の一例を示す流れ図である。制御回路１０５は、携帯電話機の待ち受け中、バッテリの消耗を最小限に抑えるために、間欠受信制御線１０７を介して制御信号を受信回路１０２に送信し、受信回路１０２に受信動作をオフにさせる。
【００４９】
ＧＰＳ受信回路１０９は、所定のタイミングで、ＧＰＳ受信アンテナ１０８を介してＧＰＳ信号を受信する（ステップＳ１０１）。例えば、ＧＰＳ受信回路１０９は、予め定めた時間毎に繰り返しＧＰＳ信号を受信する。また、ＧＰＳ受信回路１０９は、受信したＧＰＳ信号を所定の電力値まで増幅する。また、ＧＰＳ受信回路１０９は、ＧＰＳ信号をベースバンド信号に変換し制御回路１０５に出力する。
【００５０】
制御回路１０５は、ＧＰＳ受信回路１０９から入力した信号に基づいて、携帯電話機の位置情報を求める。また、制御回路１０５は、求めた位置情報に基づいて、携帯電話機の移動速度を求める（ステップＳ１０２）。例えば、制御回路１０５は、求めた現時刻の位置情情報と前回受信したＧＰＳ信号に基づいて求めた位置情報とに基づいて、携帯電話機の移動距離を求める。そして、制御回路１０５は、求めた移動距離をＧＰＳ信号の受信時間間隔で除算することによって、携帯電話機の移動速度を求める。
【００５１】
移動速度を求めると、制御回路１０５は、求めた移動速度に基づいて間欠受信間隔を設定する。例えば、制御回路１０５は、求めた移動速度が所定値より大きいか否かを判断する。移動速度が所定値より大きい（速い）と判断すると、制御回路１０５は、間欠受信する間隔が短くなるように間欠受信間隔を設定する。また、移動速度が所定値より大きくない（遅い）と判断すると、制御回路１０５は、間欠受信する間隔が長くなるように間欠受信間隔を設定する。
【００５２】
本実施の形態では、制御回路１０５は、受信間隔対応テーブル１１０から、求めた移動速度に対応する間欠受信間隔を抽出する（ステップＳ１０３）。例えば、携帯電話機の移動速度が遅く時速ａキロメートル未満である場合、制御回路１０５は、図２に示す受信間隔対応テーブル１１０から、間欠受信間隔ｘミリ秒を抽出する。すなわち、制御回路１０５は、携帯電話機の移動速度が遅いので、間欠受信する間隔が長くなるように間欠受信間隔を設定する。
【００５３】
また、例えば、移動速度が時速ａキロメートル以上で時速ｂキロメートル未満である場合、制御回路１０５は、図２に示す受信間隔対応テーブル１１０から、間欠受信間隔ｙミリ秒を抽出する。すなわち、制御回路１０５は、携帯電話機の移動速度が時速ａキロメートルより速いので、間欠受信する間隔がｘミリ秒より短くなるように間欠受信間隔を設定する。また、例えば、移動速度が速く時速ｂキロメートル以上である場合、制御回路１０５は、図２に示す受信間隔対応テーブル１１０から、間欠受信間隔ｚミリ秒を抽出する。すなわち、制御回路１０５は、携帯電話機の移動速度が速いので、間欠受信する間隔が短くなるように間欠受信間隔を設定する。
【００５４】
なお、各移動速度に対して間欠受信間隔をどの程度の値に設定するのかは、例えば、シミュレーション等の事前検証を行った結果に基づいて予め定められる。そして、携帯電話機は、予め定めたれた間欠受信間隔を格納した受信間隔対応テーブル１１０を、予めメモリ等の記憶装置に記憶する。
【００５５】
制御回路１０５は、設定した間欠受信間隔が経過すると、間欠受信制御線１０７を介して制御信号を受信回路１０２に送信し、受信回路１０２に受信動作をオンにさせる（ステップＳ１０４）。この場合、制御回路１０５は、例えば、受信回路１０２からの受信信号に基づいて、着信の有無を確認する。また、制御回路１０５は、例えば、受信回路１０２からの受信信号に基づいて、基地局との電波状況を確認する。そして、着信がない場合、制御回路１０５は、再び間欠受信制御線１０７を介して制御信号を受信回路１０２に送信し、受信回路１０２の受信動作をオフにさせて休止状態にさせる。
【００５６】
以上のように、本実施の形態によれば、携帯電話機は、ＧＰＳ受信アンテナ１０８、ＧＰＳ受信回路１０９及び受信間隔対応テーブル１１０を備える。本実施の形態では、携帯電話機は、受信回路１０２とは別に設けられたＧＰＳ受信回路１０９を用いてＧＰＳ信号を受信し、受信したＧＰＳ信号に基づいて現在の移動速度を求める。また、携帯電話機は、求めた移動速度に応じた間欠受信間隔を設定する。
【００５７】
本実施の形態では、携帯電話機が高速で移動している場合、受信を行う間隔が短くなるように間欠受信間隔を設定するので、携帯電話機の接続品質の低下を防止することができる。また、携帯電話機が低速で移動している場合には、受信を行う間隔が長くなるように間欠受信間隔を設定するので、受信回路１０２の動作時間を短くすることができる。そのため、バッテリの消耗を低減することができ、携帯電話機の待ち受け状態を長時間維持することができる。従って、携帯電話機において、高速移動時に接続品質を確保できるとともに、低速移動時にバッテリの消耗を低減することができる。
【００５８】
実施の形態２．
次に、本発明の第２の実施の形態を図面を参照して説明する。第１の実施の形態では、携帯電話機が移動速度と間欠受信間隔とを対応付けた受信間隔対応テーブル１１０を備え、間欠受信間隔を制御する場合を説明したが、携帯電話機は、移動速度に従って間欠受信間隔以外の他のパラメータを制御してもよい。
【００５９】
図４は、受信回路制御方法を用いた携帯電話機の他の構成例を示すブロック図である。本実施の形態では、図４に示すように、制御回路１０５が、受信間隔対応テーブル１１０に加えて、携帯電話機の移動速度と所定のパラメータとを対応づけたパラメータ対応テーブル１１１を含む点で、第１の実施の形態と異なる。例えば、制御回路１０５は、携帯電話機の移動速度と、隣接セルをサーチする時間間隔を示すセルサーチ間隔とを対応付けたパラメータ対応テーブル１１１を、メモリ等の記憶装置に記憶する。
【００６０】
なお、送受信アンテナ１０１、受信回路１０２、送信回路１０３、アンテナスイッチ１０４、周辺回路１０６、ＧＰＳ受信アンテナ１０８及びＧＰＳ受信回路１０９の機能は、第１の実施の形態で示したそれらの機能と同様である。
【００６１】
次に、動作について説明する。図５は、携帯電話機が移動速度に応じて所定のパラメータを制御する処理の一例を示す流れ図である。なお、本実施の形態において、携帯電話機は、第１の実施の形態と同様の処理に従って、受信回路１０２を制御し間欠受信を行う。
【００６２】
ＧＰＳ受信回路１０９は、第１の実施の形態で示したステップＳ１０１と同様に、所定のタイミングで、ＧＰＳ受信アンテナ１０８を介してＧＰＳ信号を受信する（ステップＳ２０１）。また、制御回路１０５は、第１の実施の形態で示したステップＳ１０２と同様に、ＧＰＳ受信回路１０９から入力した信号に基づいて、携帯電話機の移動速度を求める（ステップＳ２０２）。
【００６３】
移動速度を求めると、制御回路１０５は、求めた移動速度に基づいて、所定のパラメータを設定する。例えば、制御回路１０５は、求めた移動速度が所定値より大きいか否かを判断する。移動速度が所定値より大きい（速い）と判断すると、制御回路１０５は、隣接セルをサーチする間隔が短くなるようにセルサーチ間隔を設定する。また、移動速度が所定値より大きくない（遅い）と判断すると、制御回路１０５は、隣接セルをサーチする間隔が長くなるようにセルサーチ間隔を設定する。
【００６４】
本実施の形態では、制御回路１０５は、パラメータ対応テーブル１１１から、求めた移動速度に対応するセルサーチ間隔を抽出する（ステップＳ２０３）。例えば、携帯電話機の移動速度が速い場合、制御回路１０５は、パラメータ対応テーブル１１１から抽出したパラメータに基づいて、隣接セルをサーチする間隔が短くなるようにセルサーチ間隔を設定する。また、例えば、携帯電話機の移動速度が遅い場合、制御回路１０５は、パラメータ対応テーブル１１１から抽出したパラメータに基づいて、隣接セルをサーチする間隔が長くなるようにセルサーチ間隔を設定する。
【００６５】
なお、各移動速度に対してセルサーチ間隔をどの程度の値に設定するのかは、例えば、シミュレーション等の事前検証を行った結果に基づいて予め定められる。そして、携帯電話機は、予め定めたれたセルサーチ間隔を格納したパラメータ対応テーブル１１１を、予めメモリ等の記憶装置に記憶する。
【００６６】
制御回路１０５は、設定したパラメータに従って、処理を実行する（ステップＳ２０４）。例えば、制御回路１０５は、設定したセルサーチ間隔が経過すると、セルサーチを実行する。
【００６７】
以上のように、本実施の形態によれば、携帯電話機は、パラメータ対応テーブル１１１を備え、パラメータ対応テーブル１１１に基づいて所定のパラメータを設定する。本実施の形態によれば、例えば、携帯電話機が高速で移動している場合、隣接セルをサーチする間隔が短くなるようにセルサーチ間隔を設定する。そのため、携帯電話機が高速で移動しフェージングが大きい場合に、フェージングの影響を低減することができる。また、携帯電話機が低速で移動している場合には、隣接セルをサーチする時間が長くなるようにセルサーチ間隔を設定する。そのため、携帯電話機が低速で移動しフェージングが小さい場合に、隣接セルをサーチする頻度を低減し、バッテリの消耗を低減することができる。従って、携帯電話機において、高速移動時にフェージングの影響を低減できるとともに、低速移動時にバッテリの消耗を低減することができる。
【００６８】
実施の形態３．
次に、本発明の第３の実施の形態を図面を参照して説明する。図６は、受信回路制御方法を用いた携帯電話機の更に他の構成例を示すブロック図である。第１の実施の形態及び第２の実施の形態では、ＴＤＭＡ方式を用いた携帯電話機に受信回路制御方法を用いる場合を説明したが、本実施の形態では、ＣＤＭＡ方式を用いた携帯電話機に受信回路制御方法を用いる場合を説明する。
【００６９】
図６に示すように、携帯電話機は、第１の実施の形態で示したアンテナスイッチ１０４に代えて、送受分岐回路（デュプレクサ）１０４Ａを含む。送受分岐回路１０４Ａは、送信信号と受信信号とを切り替え、受信信号を受信回路１０２に供給する機能を備える。また、送受分岐回路１０４Ａは、送信回路１０３からの送信信号を送受信アンテナ１０１に供給する機能を備える。
【００７０】
なお、送受信アンテナ１０１、受信回路１０２、送信回路１０３、制御回路１０５、周辺回路１０６、ＧＰＳ受信アンテナ１０８及びＧＰＳ受信回路１０９の機能は、第１の実施の形態で示したそれらの機能と同様である。また、本実施の形態において、携帯電話機は、第１の実施の形態と同様の処理に従って、受信回路１０２を制御し間欠受信を行う。また、携帯電話機は、第２の実施の形態と同様の処理に従って、所定のパラメータを制御してもよい。例えば、携帯電話機は、第２の実施の形態と同様の処理に従って、移動速度に応じてセルサーチ間隔を設定してもよい。
【産業上の利用可能性】
【００７１】
本発明は、ＴＤＭＡやＣＤＭＡ方式を用いる携帯電話機が行う間欠受信を制御する用途に適用できる。また、本発明は、携帯電話機が隣接セルをサーチする間隔を制御する用途に適用できる。
【図面の簡単な説明】
【００７２】
【図１】本発明による受信回路制御方法を用いた携帯電話機の一例を示すブロック図である。
【図２】受信間隔対応テーブル１１０の一例を示す説明図である。
【図３】携帯電話機の受信回路制御の処理の一例を示す流れ図である。
【図４】受信回路制御方法を用いた携帯電話機の他の構成例を示すブロック図である。
【図５】携帯電話機が移動速度に応じて所定のパラメータを制御する処理の一例を示す流れ図である。
【図６】受信回路制御方法を用いた携帯電話機の更に他の構成例を示すブロック図である。
【図７】間欠受信方式を用いた一般的な携帯電話機の構成の一例を示すブロック図である。
【符号の説明】
【００７３】
１０１  送受信アンテナ
１０２  受信回路
１０３  送信回路
１０４  アンテナスイッチ
１０５  制御回路
１０６  周辺回路
１０７  間欠受信制御線
１０８  ＧＰＳ受信アンテナ
１０９  ＧＰＳ受信回路
１１０  受信間隔対応テーブル
【図１】
2006246121.tif 000003
【図２】
2006246121.tif 000004
【図３】
2006246121.tif 000005
【図４】
2006246121.tif 000006
【図５】
2006246121.tif 000007
【図６】
2006246121.tif 000008
【図７】
2006246121.tif 000009